(57)【要約】【課題】ポップアップ画面の表示態様をクリエイティブとする広告効果を容易に向上させることができる、情報処理装置、情報処理方法および情報処理プログラムを提供する。【解決手段】情報処理装置は、インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、表示画面において第１の表示態様を変更した他の表示態様で表示されるポップアップ画面を表示する比較Ｗｅｂページとを生成するページ生成部と、ユニフォームリソース識別子にアクセスしたときにＷｅｂブラウザに提供されるＷｅｂページを、基準Ｗｅｂページと比較Ｗｅｂページとで切り替えるページ切替部とを備える。【選択図】図１
2020113140.tif 000002
【特許請求の範囲】
【請求項１】
インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、前記表示画面において前記第１の表示態様を変更した他の表示態様で表示されるポップアップ画面を表示する比較Ｗｅｂページとを生成するページ生成部と、
前記ユニフォームリソース識別子にアクセスしたときにＷｅｂブラウザに提供されるＷｅｂページを、前記基準Ｗｅｂページと前記比較Ｗｅｂページとで切り替えるページ切替部と、
を備える、情報処理装置。
【請求項２】
前記基準Ｗｅｂページに対するアクセスに基づく広告の効果と前記比較Ｗｅｂページに対するアクセスに基づく広告の効果とを解析する解析部と、
前記解析部において解析された解析結果を提供する結果提供部と
をさらに備える、請求項１に記載の情報処理装置。
【請求項３】
前記他の表示態様を、インターネットを介して接続された端末から設定可能にするためのユーザインタフェースを提供するＵＩ提供部をさらに備える、請求項１または２に記載の情報処理装置。
【請求項４】
前記ＵＩ提供部は、前記他の表示態様におけるポップアップ画面において表示させるコンテンツの表示態様を設定するためのユーザインタフェースを提供する、請求項３に記載の情報処理装置。
【請求項５】
前記ＵＩ提供部は、前記他の表示態様におけるポップアップ画面において表示させる動画コンテンツを動画公開サイトから取得するためのユーザインタフェースを提供する、請求項３または４に記載の情報処理装置。
【請求項６】
前記ＵＩ提供部は、前記他の表示態様におけるポップアップ画面の表示条件を設定するためのユーザインタフェースを提供する、請求項３から５のいずれか一項に記載の情報処理装置。
【請求項７】
前記ページ生成部は、予め設定された条件に基づき前記比較Ｗｅｂページを生成する、請求項１から６のいずれか一項に記載の情報処理装置。
【請求項８】
前記ページ生成部は、前記ユニフォームリソース識別子に対する流入元の情報に基づき前記比較Ｗｅｂページを生成する、請求項１から７のいずれか一項に記載の情報処理装置。
【請求項９】
前記ページ切替部は、予め設定された条件に基づき前記ユニフォームリソース識別子において表示されるＷｅｂページを切り替える、請求項１から８のいずれか一項に記載の情報処理装置。
【請求項１０】
前記ページ切替部は、前記ユニフォームリソース識別子に対する流入元の情報に基づき前記ユニフォームリソース識別子において表示されるＷｅｂページを切り替える、請求項１から９のいずれか一項に記載の情報処理装置。
【請求項１１】
情報処理装置において実行される情報処理方法であって、
インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、前記表示画面において前記第１の表示態様を変更した他の表示態様で表示されるポップアップ画面を表示する比較Ｗｅｂページとを生成するページ生成ステップと、
前記ユニフォームリソース識別子にアクセスしたときにＷｅｂブラウザに提供されるＷｅｂページを、前記基準Ｗｅｂページと前記比較Ｗｅｂページとで切り替えるページ切替ステップと、
を含む、情報処理方法。
【請求項１２】
コンピュータに、
インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、前記表示画面において前記第１の表示態様を変更した他の表示態様で表示されるポップアップ画面を表示する比較Ｗｅｂページとを生成するページ生成機能と、
前記ユニフォームリソース識別子にアクセスしたときにＷｅｂブラウザに提供されるＷｅｂページを、前記基準Ｗｅｂページと前記比較Ｗｅｂページとで切り替えるページ切替機能と、
を実現させるための、情報処理プログラム。
【発明の詳細な説明】
【技術分野】
【０００１】
本発明は、情報処理装置、情報処理方法および情報処理プログラムに関する。
【背景技術】
【０００２】
従来、インターネットを用いたＷｅｂ広告におけるマーケティング手法としてＡ／Ｂテストと呼ばれる手法が用いられている。Ａ／Ｂテストにおいては、Ｗｅｂページに含まれるテキストの表示態様等を広告要素（クリエイティブ）として、クリエイティブをＡパターンとしたＷｅｂページと、クリエイティブをＢパターンとしたＷｅｂページの２パターンを用意する。Ａ／Ｂテストでは、用意したＷｅｂページに対する顧客からのアクセスを分析することにより、どちらのクリエイティブの方がより高い広告効果を得られるかを検証する。Ａ／Ｂテストにおける広告の効果としては、例えば、ＣＴＲ（Ｃｌｉｃｋ  Ｔｈｒｏｕｇｈ  Ｒａｔｅ）、またはＣＶＲ（Ｃｏｎｖｅｒｓｉｏｎ  Ｒａｔｅ）等の指標が用いられる。Ａ／Ｂテストにおいては、クリエイティブの変更による広告効果の差異を明確にするために、基準となるＷｅｂページのクリエイティブの一部を変更した比較用のＷｅｂページを用意する場合がある。例えば、クリエイティブとして、テキストの文言、または表示画像を変更するＡ／Ｂテストが知られている。
【０００３】
特許文献１には、Ａ／Ｂテストの結果からオンライン広告を修正して全体的な成果又は有効性を高める方法が記載されている。
【先行技術文献】
【特許文献】
【０００４】
【特許文献１】特表２０１０−５２０５６４号公報
【発明の概要】
【発明が解決しようとする課題】
【０００５】
しかし、ポップアップ画面を表示させるためにはスクリプト言語等でのプログラミングが必要となるため、ポップアップ画面をクリエイティブとするＡ／Ｂテストには表示用のプログラミングの変更が必要となり、プログラミングコスト等の問題から容易にＡ／Ｂテストができない場合があった。
【０００６】
本発明は上記事情に鑑みてなされたものであり、ポップアップ画面の表示態様をクリエイティブとする広告効果を容易に向上させることができる、情報処理装置、情報処理方法および情報処理プログラムを提供することを一つの目的とする。
【課題を解決するための手段】
【０００７】
（１）上記の課題を解決するため、情報処理装置は、インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、表示画面において第１の表示態様を変更した他の表示態様で表示されるポップアップ画面を表示する比較Ｗｅｂページとを生成するページ生成部と、ユニフォームリソース識別子にアクセスしたときにＷｅｂブラウザに提供されるＷｅｂページを、基準Ｗｅｂページと比較Ｗｅｂページとで切り替えるページ切替部と、基準Ｗｅｂページに対するアクセスに基づく広告の効果と比較Ｗｅｂページに対するアクセスに基づく広告の効果とを解析する解析部と、解析部において解析された解析結果を提供する結果提供部とを備える。
【０００８】
（２）また、実施形態の情報処理装置は、基準Ｗｅｂページに対するアクセスに基づく広告の効果と比較Ｗｅｂページに対するアクセスに基づく広告の効果とを解析する解析部と、解析部において解析された解析結果を提供する結果提供部とをさらに備えるものであってもよい。
【０００９】
（３）また、実施形態の情報処理装置において、他の表示態様を、インターネットを介して接続された端末から設定可能にするためのユーザインタフェースを提供するＵＩ提供部をさらに備えるようにしてもよい。
【００１０】
（４）また、実施形態の情報処理装置において、ＵＩ提供部は、他の表示態様におけるポップアップ画面において表示させるコンテンツの表示態様を設定するためのユーザインタフェースを提供するようにしてもよい。
【００１１】
（５）また、実施形態の情報処理装置において、ＵＩ提供部は、他の表示態様におけるポップアップ画面において表示させる動画コンテンツを動画公開サイトから取得するためのユーザインタフェースを提供するようにしてもよい。
【００１２】
（６）また、実施形態の情報処理装置において、ＵＩ提供部は、他の表示態様におけるポップアップ画面の表示条件を設定するためのユーザインタフェースを提供するようにしてもよい。
【００１３】
（７）また、実施形態の情報処理装置において、ページ生成部は、予め設定された条件に基づき比較Ｗｅｂページを生成するようにしてもよい。
【００１４】
（８）また、実施形態の情報処理装置において、ページ生成部は、ユニフォームリソース識別子に対する流入元の情報に基づき比較Ｗｅｂページを生成するようにしてもよい。
【００１５】
（９）また、実施形態の情報処理装置において、ページ切替部は、予め設定された条件に基づきユニフォームリソース識別子において表示されるＷｅｂページを切り替えるようにしてもよい。
【００１６】
（１０）また、実施形態の情報処理装置において、ページ切替部は、ユニフォームリソース識別子に対する流入元の情報に基づきユニフォームリソース識別子において表示されるＷｅｂページを切り替えるようにしてもよい。
【００１７】
（１１）上記の課題を解決するため、情報処理方法は、情報処理装置において実行される情報処理方法であって、インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、表示画面において第１の表示態様を変更した他の表示態様で表示されるポップアップ画面を表示する比較Ｗｅｂページとを生成するページ生成ステップと、ユニフォームリソース識別子にアクセスしたときにＷｅｂブラウザに提供されるＷｅｂページを、基準Ｗｅｂページと比較Ｗｅｂページとで切り替えるページ切替ステップとを含む。
【００１８】
（１２）上記の課題を解決するため、情報処理プログラムは、コンピュータに、インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、表示画面において第１の表示態様を変更した他の表示態様で表示されるポップアップ画面を表示する比較Ｗｅｂページとを生成するページ生成機能と、ユニフォームリソース識別子にアクセスしたときにＷｅｂブラウザに提供されるＷｅｂページを、基準Ｗｅｂページと比較Ｗｅｂページとで切り替えるページ切替機能とを実現させる。
【発明の効果】
【００１９】
本発明の一つの実施形態によれば、情報処理装置は、インターネット上の予め定められたユニフォームリソース識別子（ＵＲＩ）にアクセスしたときにＷｅｂブラウザに表示される広告の表示画面において第１の表示態様で表示されるポップアップ画面を表示する基準Ｗｅｂページと、表示画面において第１の表示態様を変更した他の表示態様で表示されるポップアップ画面を表示する比較Ｗｅｂページとを生成し、ユニフォームリソース識別子にアクセスしたときにＷｅｂブラウザに提供されるＷｅｂページを、基準Ｗｅｂページと比較Ｗｅｂページとで切り替えることにより、ポップアップ画面の表示態様をクリエイティブとする広告効果を容易に向上させることができる。
【図面の簡単な説明】
【００２０】
【図１】実施形態における情報処理装置のソフトウェア構成の一例を示すブロック図である。
【図２】実施形態における情報処理装置のハードウェア構成の一例を示すブロック図である。
【図３】実施形態における情報処理装置の動作の第１の例を示すフローチャートである。
【図４】実施形態における情報処理装置の動作の第２の例を示すフローチャートである。
【図５】実施形態における情報処理装置の動作の第３の例を示すフローチャートである。
【図６】実施形態における情報処理装置から提供されるＷｅｂページの表示態様を設定するためのＵＩの一例を示す図である。
【発明を実施するための形態】
【００２１】
以下、図面を参照して本発明の一実施形態における情報処理装置、情報処理方法および情報処理プログラムについて詳細に説明する。
【００２２】
先ず、図１を用いて、情報処理装置の機能を説明する。図１は、実施形態における情報処理装置のソフトウェア構成の一例を示すブロック図である。
【００２３】
図１において、情報処理装置１は、ネットワーク９を介して、利用者端末２および顧客端末３と通信可能に接続されている。利用者端末２は、例えば、情報処理装置１によって提供されるＷｅｂページの広告の広告主が操作する端末であり、Ｗｅｂブラウザ２１を介して後述するポップアップ画面の表示態様を設定する端末である。顧客端末３は、例えば、情報処理装置１によって提供されるＷｅｂページの広告によって商品またはサービス等を購入または利用する顧客によって操作される端末である。なお、本実施形態における広告とは、商取引を目的とするものには限定されない。例えば、広告は、有償無償を問わず、アンケート等への回答を促す目的のもの、または情報の提供のみを目的とするものであってもよい。図１は情報処理装置１の接続先を例示して示すものであり、情報処理装置１の接続先を限定するものではない。例えば、情報処理装置１は、利用者端末２または顧客端末３が複数台接続されるものであってもよい。ネットワーク９は、有線または無線を介するネットワークであり、例えばインターネットである。以下の実施例においてネットワーク９はインターネットを例示して説明する。
【００２４】
情報処理装置１は、通信制御部１１、ＵＩ（Ｕｓｅｒ  Ｉｎｔｅｒｆａｃｅ）提供部１２、ページ生成部１３、ページ切替部１４、記憶部１５、解析部１６および結果提供部１７の各機能部を有する。本実施形態における情報処理装置１の上記各機能部は、本実施形態における情報処理プログラム（ソフトウェア）によって実現される機能モジュールであるものとして説明する。
【００２５】
通信制御部１１は、ネットワーク９を介して接続された利用者端末２または顧客端末３との通信を制御する。通信制御部１１は、例えば、Ｗｅｂページを提供するためのＷｅｂサーバである。通信制御部１１は、インターネット上の予め定められたユニフォームリソース識別子（ＵＲＩ：Ｕｎｉｆｏｒｍ  Ｒｅｓｏｕｒｃｅ  Ｉｄｅｎｔｉｆｉｅｒ）を有している。ＵＲＩは、例えばＵＲＬ（Ｕｎｉｆｏｒｍ  Ｒｅｓｏｕｒｃｅ  Ｌｏｃａｔｏｒ）である。通信制御部１１は、顧客端末３のＷｅｂブラウザ３１から所定のＵＲＩにアクセスされたときにポップアップ画面を含む広告の表示画面を表示するＷｅｂページ（ランディングページ）をＷｅｂブラウザ３１に提供する。本実施例では、通信制御部１１は、基準Ｗｅｂページ（後述）と比較Ｗｅｂページ（後述）を提供する。
【００２６】
ここで、ポップアップ画面とは、Ｗｅｂブラウザ３１に表示されるＷｅｂページの表示画面に重畳して表示される新たなウィンドウ画面である。ポップアップ画面には、例えば、テキストコンテンツ、静止画コンテンツ、動画コンテンツ等の表示コンテンツ（表示要素）を含めることができる。表示コンテンツにはハイパーリンクを含めることができ、Ｗｅｂブラウザ３１においてハイパーリンクを含む表示コンテンツをクリック等したときにリンク先のＵＲＩにおけるＷｅｂページが表示される。なお、ポップアップ画面は、表示画面をスクロールしたときに一緒にスクロールされるものであってもよく、また、表示画面をスクロールしたときにおいても常に表示されるもの（フローティングウィンドウ）であってもよい。
【００２７】
ＵＩ提供部１２は、基準Ｗｅｂページにおいて表示されるポップアップ画面の表示態様（第１の表示態様（後述））と、比較Ｗｅｂページにおいて表示されるポップアップ画面の表示態様（他の表示態様（後述））とを設定可能にするためのＵＩを利用者端末２のＷｅｂブラウザ２１に対して提供する。
【００２８】
また、ＵＩ提供部１２は、Ｗｅｂブラウザ２１に対して、ランディングページのＵＲＩを登録するためのＵＩを提供するようにしてもよい。ＵＩ提供部１２は、ランディングページである基準ＷｅｂページのＵＲＩと比較ＷｅｂページのＵＲＩを同一のＵＲＩまたは別個のＵＲＩとして登録できるようにしてもよい。ランディングページのＵＲＩを同一にすることにより、利用者は、表示態様の異なるＷｅｂページを同一のＵＲＩにおいて顧客のＷｅｂブラウザ３１に対して表示することが可能となり、１つのＵＲＩで複数のＷｅｂページにおける広告効果を容易にテストすることが可能となる。なお、基準ＷｅｂページのＵＲＩと比較ＷｅｂページのＵＲＩを同一のＵＲＩとして登録する場合、後述するページ切替部１４において表示するＷｅｂページの切り替えを行う。
【００２９】
ポップアップ画面の表示態様とは、Ｗｅｂブラウザ３１に表示されるポップアップ画面をクリエイティブとした場合の表示態様である。ポップアップ画面の表示態様は、利用者端末２のＷｅｂブラウザ２１によって設定することができる。ポップアップ画面の表示態様の設定とは、例えば、クリエイティブであるポップアップ画面に表示される表示コンテンツ（動画コンテンツ、静止画コンテンツ、テキストコンテンツ等）の選択である。また、ポップアップ画面の表示態様の設定は、表示コンテンツのデザイン（色、形状、大きさ）の設定、または、ハイパーリンクをクリックしたときに表示されるＷｅｂページのＵＲＩの設定であってもよい。また、ポップアップ画面の表示態様の設定は、ポップアップ画面の表示タイミング（後述）の設定、ポップアップ画面の表示位置（中央、右、左、上、右下、左下等）の設定、ポップアップウィンドウの表示アニメーション（フェードイン、バウンド、回転、ズームイン等）の設定、または、ポップアップ画面の表示オプション（タイトルテキスト、説明文、ボタンに表示されるテキスト等）の設定であってもよい。
【００３０】
ここで、ポップアップ画面の表示タイミングの設定とは、例えば、Ｗｅｂページが表示されてからポップアップ画面が表示されるまでの時間（滞在時間）の設定である。また、ポップアップ画面の表示タイミングの設定は、Ｗｅｂブラウザに対して所定の操作（例えば、離脱操作、「戻る」操作、またはスクロール操作等）をしたときにポップアップ画面を表示する設定等であってもよい。離脱操作には、例えば、Ｗｅｂブラウザ（またはタブ）を閉じる操作、ＵＲＬバーへの入力操作、またはページ更新操作等である。
【００３１】
なお、ポップアップ画面の表示態様の設定には、１つのポップアップ画面に複数の表示コンテンツを含める設定、または、複数のポップアップ画面を一度に表示する設定が含まれていてもよい。
【００３２】
ページ生成部１３は、Ｗｅｂブラウザ３１の表示画面において第１の表示態様で表示されるポップアップ画面を表示する基準Ｗｅｂページと、Ｗｅｂブラウザ３１の表示画面において第１の表示態様を変更した他の表示態様で表示されるポップアップ画面を表示する比較Ｗｅｂページとを生成する。
【００３３】
＜基準Ｗｅｂページと比較Ｗｅｂページ＞
基準Ｗｅｂページとは、第１の表示態様におけるポップアップ画面をクリエイティブとして表示するＷｅｂページである。また、比較Ｗｅｂページとは、第１の表示態様を変更した他の表示態様におけるポップアップ画面をクリエイティブとして表示するＷｅｂページである。基準Ｗｅｂページは、Ｗｅｂページに対するアクセスに基づく広告効果を解析する際に、比較Ｗｅｂページの比較対象とされるＷｅｂページである。Ｗｅｂページに対するアクセスに基づく広告効果とは、例えば、Ｗｅｂページの表示数（ＰＶ数）に対するクリック率（ＣＴＲ）、コンバージョン数（ＣＶ数）、またはコンバージョン率（ＣＶＲ）等である。コンバージョン率は、例えば、サイト全体の訪問者数に対するコンバージョンに至った人の数、またはサイト全体のセッション数に対するコンバージョンに至った人の数として算出することができる。
【００３４】
ページ生成部１３は、第１の表示態様（の一部または全部）を変更した他の表示態様におけるポップアップ画面を表示するＷｅｂページを生成することにより、比較Ｗｅｂページに対するアクセスに基づく広告効果を容易にテストすることが可能となる。
【００３５】
ページ生成部１３は、予め設定された条件に基づき基準Ｗｅｂページまたは比較Ｗｅｂページを生成するようにしてもよい。予め設定された条件とは、例えば、第１の表示態様において変更するクリエイティブが予め定められている場合である。例えば、ポップアップ画面において表示するテキスト追加、削除または変更等の内容を予め定めて設定して保存しておく。ページ生成部１３は、保存された設定に基づき、基準Ｗｅｂページまたは比較Ｗｅｂページを生成することができる。ページ生成部１３は、予め設定された条件に基づきＷｅｂページを生成することにより、迅速にＷｅｂページを生成することが可能となる。
【００３６】
また、ページ生成部１３は、ランディングページのＵＲＩに対する流入元の情報に基づき基準Ｗｅｂページまたは比較Ｗｅｂページを生成するようにしてもよい。流入元の情報とは、例えば、流入元のサイト、流入元の地域、またはアクセスした顧客の性別、年齢もしくは興味等の情報である。流入元の情報は、例えば、通信ヘッダの情報、またはアクセスした顧客のＷｅｂブラウザから得られる情報（例えば、ｃｏｏｋｉｅ）等から取得するようにしてもよい。ｃｏｏｋｉｅはＷｅｂページを含むＷｅｂサイトへの過去のアクセスとの紐付けを可能にする情報であるため、過去にＷｅｂサイトにおいて顧客の性別等の顧客情報が登録されている場合、ｃｏｏｋｉｅによって顧客情報が紐付けられて流入元情報として取得することが可能となる。例えば、ページ生成部１３は、顧客の性別または年齢に応じて、広告対象の商品の効能を表すテキストの内容を変更したＷｅｂページを生成するようにしてもよい。ページ生成部１３は、流入元の情報に基づきＷｅｂページを生成することにより、顧客に応じたＷｅｂページを容易に生成することが可能となる。
【００３７】
また、ページ生成部１３は、複数の比較Ｗｅｂページを生成するようにしてもよい。例えば、ポップアップ画面において３つのクリエイティブの組合わせにおいてそれぞれのクリエイティブが２種類の異なる態様を有する場合、ポップアップ画面は２×２×２＝８種類の表示態様となる。ページ生成部１３は、基準Ｗｅｂページにおける表示態様に対して、他の７種類の表示態様における比較Ｗｅｂページを生成することにより、いずれのクリエイティブの組合せの広告効果が最大であるかを容易にテスト可能にすることができる。特にポップアップ画面の表示態様には、上述のように様々な表示態様が含まれるため、ページ生成部１３において比較Ｗｅｂページを生成することにより、多くの表示態様におけるポップアップ画面における広告効果を容易にテストすることが可能となる。
【００３８】
なお、ページ生成部１３において生成されたＷｅｂページは、ＵＩ提供部１２によって利用者から登録されたランディングページのＵＲＩを有している。ページ生成部１３は、ランディングページのＵＲＩが示すＷｅｂサーバに対して生成したＷｅｂページを登録するようにしてもよい。ページ生成部１３は、生成したＷｅｂページにおいて、通信制御部１１に対してランディングページに対するアクセス状況、またはコンバージョン状況等のアクセス情報を送信するための情報（プログラム）を埋め込むようにしてもよい。情報処理装置１は、ページ生成部１３において生成されたＷｅｂページに対してＷｅｂブラウザ３１からアクセスがあった場合、ランディングページに対するアクセス情報に基づき広告効果を測定することが可能となる。
【００３９】
ページ切替部１４は、ランディングページのＵＲＩにＷｅｂブラウザ３１からアクセスがあったときにＷｅｂブラウザ３１に提供されるＷｅｂページを、基準Ｗｅｂページと比較Ｗｅｂページとで切り替える。
【００４０】
例えば、ページ切替部１４は、予め設定された条件に基づきＷｅｂページを切り替えてもよい。予め設定された条件とは、例えば、所定の時間の経過毎（例えば、１０分間毎）、所定のアクセス数への到達毎（例えば、１０００ＰＶ毎）、または所定のＣＶ数への達成毎（例えば、１０ＣＶ毎）等の条件である。ページ切替部１４が予め設定された条件に基づきＷｅｂページを切り替えることにより、それぞれの表示態様のポップアップ画面における広告効果を迅速にテストすることが可能となる。なお、ページ切替部１４において切り替えるＷｅｂページは、ページ生成部１３において予め生成されて記憶部１５に記憶しておくことができる。Ｗｅｂページを予め生成して記憶しておくことにより、Ｗｅｂページ生成の時間を短縮することが可能となる。
【００４１】
また、ページ切替部１４は、ランディングページのＵＲＩにアクセスした流入元の情報に基づきＷｅｂページを切り替えてもよい。流入元の情報とは、上述のように、流入元のサイト、流入元の地域、またはアクセスした顧客の性別、年齢もしくは興味等の情報である。流入元の情報に基づきＷｅｂページを切り替えることにより、顧客に応じたＷｅｂページにおける広告効果を迅速にテストすることが可能となる。
【００４２】
記憶部１５は、情報処理装置１において利用されるデータを記憶する。例えば、記憶部１５は、ＵＩ提供部１２から利用者によって登録されたランディングページのＵＲＩ、ページ生成部１３においてＷｅｂページを生成するときに用いられる予め設定された条件、または、ページ切替部１４においてＷｅｂページを切り替えるときに用いられる予め設定された条件等を記憶する。
【００４３】
解析部１６は、基準Ｗｅｂページに対するアクセスに基づく広告効果と比較Ｗｅｂページに対するアクセスに基づく広告効果とを解析する。Ｗｅｂページに対するアクセスに基づく広告効果とは、上述のように、ＰＶ数、ＣＴＲ、ＣＶ数またはＣＶＲ等の指標によって表される数値である。解析部１６は、これらの指標に基づき、広告効果が最大となるＷｅｂページの表示態様を解析することができる。例えば、解析部１６は、実際に広告効果を測定した表示態様の中で最も広告効果の高い表示態様を明らかにすることができる。また、解析部１６は、クリエイティブを変数とした多変量解析を行うことにより、広告効果を測定していない表示態様において広告効果が最大となる表示態様を予測するようにしてもよい。解析部１６において広告効果を解析することにより、例えば、Ａ／Ｂテスト等におけるテスト時間やサンプリング数を節約することが可能となり、ポップアップ画面の表示態様をクリエイティブとする広告効果を容易に向上させることができる。
【００４４】
結果提供部１７は、解析部１６において解析された解析結果を、利用者端末２等に対して提供する。結果提供部１７は、解析結果として、例えば、基準Ｗｅｂページと比較Ｗｅｂページにおける広告効果を表示する表示画面を生成して、通信制御部１１を介してＷｅｂブラウザ２１に対して提供する。結果提供部１７は、解析結果として、広告効果が最大となる表示態様を表示するようにしてもよい。利用者は、結果提供部１７から提供される解析結果に基づきランディングページの最適化（ＬＰＯ（Ｌａｎｄｉｎｇ  Ｐａｇｅ  Ｏｐｔｉｍｉｚａｔｉｏｎ））を実施することが可能となる。
【００４５】
なお、情報処理装置１が有する、通信制御部１１、ＵＩ（Ｕｓｅｒ  Ｉｎｔｅｒｆａｃｅ）提供部１２、ページ生成部１３、ページ切替部１４、記憶部１５、解析部１６および結果提供部１７の各機能部は、情報処理装置１の機能部の一例を示したものであり、情報処理装置１が有する機能を限定したものではない。例えば、情報処理装置１は、上記全ての機能部を有している必要はなく、一部の機能部を有するものであってもよい。また、情報処理装置１は、上記以外の他の機能を有していてもよい。例えば、情報処理装置１は、情報を入力するために入力機能や、装置の稼働状態をＬＥＤランプ等により報知する出力機能を有していてもよい。
【００４６】
また、情報処理装置１が有する上記各機能部は、上述の通り、ソフトウェアによって実現されるものとして説明した。しかし、情報処理装置１が有する上記機能部の中で少なくとも１つ以上の機能部は、ハードウェアによって実現されるものであってもよい。
【００４７】
また、情報処理装置１が有する上記何れかの機能部は、１つの機能部を複数の機能部に分割して実施してもよい。また、情報処理装置１が有する上記何れか２つ以上の機能部を１つの機能部に集約して実施してもよい。すなわち、図１は、情報処理装置１が有する機能を機能ブロックで表現したものであり、例えば、各機能部がそれぞれ別個のプログラムファイル等で構成されていることを示すものではない。
【００４８】
また、情報処理装置１は、１つの筐体によって実現される装置であっても、ネットワーク等を介して接続された複数の装置から実現されるシステムであってもよい。例えば、情報処理装置１は、その機能の一部または全部をクラウドコンピューティングシステムによって提供されるクラウドサービス等、他の仮想的な装置によって実現するものであってもよい。すなわち、情報処理装置１は、上記各機能部のうち、少なくとも１以上の機能部を他の装置において実現するようにしてもよい。また、情報処理装置１は、デスクトップＰＣ等の汎用的なコンピュータであってもよく、機能が限定された専用の装置であってもよい。
【００４９】
次に、図２を用いて、情報処理装置１のハードウェア構成を説明する。図２は、実施形態における情報処理装置１のハードウェア構成の一例を示すブロック図である。
【００５０】
情報処理装置１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、Ｉ／Ｏ機器１０４、および通信Ｉ／Ｆ（Ｉｎｔｅｒｆａｃｅ）１０５を有する。情報処理装置１は、図１で説明した情報処理プログラムを実行する装置である。
【００５１】
ＣＰＵ１０１は、ＲＡＭ１０２またはＲＯＭ１０３に記憶された情報処理プログラムを実行することにより、利用者端末の制御を行う。情報処理プログラムは、例えば、プログラムを記録した記録媒体、又はネットワークを介したプログラム配信サーバ等から取得されて、ＲＯＭ１０３にインストールされ、ＣＰＵ１０１から読出されて実行される。
【００５２】
Ｉ／Ｏ機器１０４は、操作入力機能と表示機能（操作表示機能）を有する。Ｉ／Ｏ機器１０４は、例えばタッチパネルである。タッチパネルは、情報処理装置１の利用者に対して指先又はタッチペン等を用いた操作入力を可能にする。本実施形態におけるＩ／Ｏ機器１０４は、操作表示機能を有するタッチパネルを用いる場合を説明するが、Ｉ／Ｏ機器１０４は、表示機能を有する表示装置と操作入力機能を有する操作入力装置とを別個有するものであってもよい。その場合、タッチパネルの表示画面は表示装置の表示画面、タッチパネルの操作は操作入力装置の操作として実施することができる。なお、Ｉ／Ｏ機器１０４は、ヘッドマウント型、メガネ型、腕時計型のディスプレイ等の種々の形態によって実現されてもよい。
【００５３】
通信Ｉ／Ｆ１０５は、通信用のＩ／Ｆである。通信Ｉ／Ｆ１０５は、例えば、無線ＬＡＮ、有線ＬＡＮ、赤外線等の近距離無線通信を実行する。図は通信用のＩ／Ｆとして通信Ｉ／Ｆ１０５のみを図示するが、情報処理装置１は複数の通信方式においてそれぞれの通信用のＩ／Ｆを有するものであってもよい。
【００５４】
次に、図３を用いて、情報処理装置１における表示態様の設定の動作を説明する。図３は、実施形態における情報処理装置１の動作の第１の例を示すフローチャートである。なお、以下に示すフローチャートにおける動作の実行主体は情報処理装置１であるものとして説明するが、それぞれの動作は、上述した情報処理装置１の各機能部において実行することができる。
【００５５】
図３において、情報処理装置１は、ランディングページのＵＲＬ（ＵＲＩの一形態）を登録するためのＵＩを提供する（ステップＳ１１）。ＵＲＬを登録するためのＵＩにおいて利用者は、例えばＷｅｂブラウザ２１からの手入力によってＵＲＬを登録することが可能となる。ステップＳ１１の処理は、例えば、Ｗｅｂブラウザ２１から通信制御部１１に対してアクセスがあったときに実行されてもよい。
【００５６】
ステップＳ１１の処理を実行した後、情報処理装置１は、ランディングページのＵＲＬが取得できたか否かを判断する（ステップＳ１２）。ＵＲＬが取得できていないと判断した場合（ステップＳ１２：ＮＯ）、情報処理装置１は、ステップＳ１２の処理を繰り返し、ＵＲＬが取得されるのを待機する。
【００５７】
一方、ＵＲＬが取得できたと判断した場合（ステップＳ１２：ＹＥＳ）、情報処理装置１は、取得したＵＲＬを記憶部１５に記憶する（ステップＳ１３）。なお、ランディングページのＵＲＬは利用者によって指定することができるが、情報処理装置１によって自動的に生成するようにしてもよい。
【００５８】
ステップＳ１３の処理を実行した後、情報処理装置１は、基準Ｗｅｂページと比較Ｗｅｂページにおけるポップアップ画面の表示態様を設定するためのＵＩをＷｅｂブラウザ２１に対して提供する（ステップＳ１４）。
【００５９】
ここで、図６を用いて、ポップアップ画面の表示態様を設定するためのＵＩを説明する。図６は、実施形態における情報処理装置１から提供されるＷｅｂページの表示態様を設定するためのＵＩの一例を示す図である。
【００６０】
図６において、設定画面１０００は、Ｗｅｂページにおいて表示されるポップアップ画面を含む表示態様の設定画面である。設定画面１０００は、Ｗｅｂブラウザ２１に表示される。設定画面１０００は、動的生成１００１、動的切替１００２、比較数１００３、流入元１１００およびポップアップ設定１２００を有する。流入元１１００は、サイト１１０１、地域１１０２、性別１１０３、年齢１１０４、興味１１０５を有する。ポップアップ設定１２００は、動画サイト１２０１、画像ファイル１２０２、テキスト１２０３、デザイン１２０４、クリック時ＵＲＬ１２０５、タイミング１２０６、表示位置１２０７、アニメーション１２０８およびオプション１２０９を有する。動的生成１００１、動的切替１００２、比較数１００３、サイト１１０１、地域１１０２、性別１１０３、年齢１１０４、興味１１０５、動画サイト１２０１、画像ファイル１２０２、テキスト１２０３、デザイン１２０４、クリック時ＵＲＬ１２０５、タイミング１２０６、表示位置１２０７、アニメーション１２０８およびオプション１２０９は、それぞれが設定ボタンであり、画面をクリック等するによって表示態様を設定することができる。
【００６１】
動的生成１００１は、比較Ｗｅｂページを動的に生成するか否かを設定するためのボタンである。動的生成１００１がＯＮ（図示ハッチング状態）の場合、ページ生成部１３において、比較Ｗｅｂページが動的に生成される。動的生成１００１がＯＮ（図示ハッチング状態）の場合、例えば、ページ生成部１３は、ランディングページのＵＲＩに対してＷｅｂブラウザ３１からアクセスがあった場合、ランディングページへの流入元の情報に基づき、アクセスの都度、比較Ｗｅｂページを生成する。一方、動的生成１００１がＯＦＦ（白抜き状態）の場合、予め設定された条件に基づき比較Ｗｅｂページが生成される。
【００６２】
動的切替１００２は、基準Ｗｅｂページと比較Ｗｅｂページとを動的に切り替えるか否かを設定するためのボタンである。動的切替１００２がＯＮの場合、ページ切替部１４において、Ｗｅｂページが動的に切り替わる。動的切替１００２がＯＮの場合、例えば、ページ切替部１４は、ランディングページのＵＲＩに対してＷｅｂブラウザ３１からアクセスがあった場合、ランディングページへの流入元の情報に基づき、アクセスの都度、表示するＷｅｂページを切り替える。一方、動的切替１００２がＯＦＦの場合、予め設定された条件に基づきＷｅｂページが切り替えられる。なお、切り替わる基準Ｗｅｂページと比較Ｗｅｂページは予め生成しておくことができる。
【００６３】
比較数１００３は、基準Ｗｅｂページと比較される比較Ｗｅｂページの数である。例えば、比較数が１の場合、比較Ｗｅｂページは１ページとなる。
【００６４】
流入元１１００は、流入元に基づくＷｅｂページの動的な生成またはＷｅｂページの動的な切り替えの条件を設定する。流入元１１００に設定される条件は、条件が合致する場合の動作を合わせて設定することができる。
【００６５】
サイト１１０１は流入元のサイトの設定をするためのボタンである。図示する三角形の図形はプルダウンメニューの表示ボタンを示している。例えば、プルダウンメニューには、ランディングページに流入するためのハイパーリングが含まれるサイトを設定することをできる。例えば、設定されたサイトからの流入に対して、ポップアップ画面の表示態様を対応させて設定することができる。
【００６６】
地域１１０２は流入元の地域の設定をするためのボタンである。例えば、プルダウンメニューには、流入元の地域（国、地方、都道府県等）とポップアップ画面の表示態様を対応させて設定することができる。
【００６７】
性別１１０３はランディングページにアクセスした顧客の性別を設定するためのボタンである。例えば、プルダウンメニューには、顧客の性別とポップアップ画面の表示態様とを対応させて設定することができる。
【００６８】
年齢１１０４はランディングページにアクセスした顧客の年齢を設定するためのボタンである。例えば、プルダウンメニューには、顧客の年齢とポップアップ画面の表示態様とを対応させて設定することができる。
【００６９】
興味１１０５はランディングページにアクセスした顧客の興味を設定するためのボタンである。例えば、プルダウンメニューには、顧客の興味とポップアップ画面の表示態様とを対応させて設定することができる。
【００７０】
＜流入元１１００の設定に基づくＷｅｂページの動的な生成または切り替えの例＞
例えば、広告の対象が日本全国の顧客を想定するものである場合、顧客の住居する地域によってＣＶＲ等の広告の成果に差（ばらつき）が出る場合がある。地域１１０２において特定の地域における比較Ｗｅｂページの動的な生成または切り替えを設定することにより、設定された地域毎における基準Ｗｅｂページと比較ページとを動的に生成または切り替えて提供することができる。これにより、地域毎における広告の成果の迅速なテストが可能となるため、地域毎にＬＰＯを容易に図ることが可能となる。性別、年齢および興味においても同様にそれぞれの設定における広告の成果の迅速なテストを可能にすることができる。
【００７１】
なお、流入元１１００における設定は組み合わせて設定できるようにしてもよい。例えば、地域、性別および年齢を組み合わせてポップアップ画面の表示態様と対応させて設定することにより、より詳細な顧客の分類に応じたポップアップ画面の表示態様を設定することが可能となる。
【００７２】
ポップアップ設定１２００は、ポップアップの表示態様を設定する。ポップアップ設定１２００に含まれる、動画サイト１２０１、画像ファイル１２０２、テキスト１２０３、デザイン１２０４、クリック時ＵＲＬ１２０５、タイミング１２０６、表示位置１２０７、アニメーション１２０８およびオプション１２０９のそれぞれは、ポップアップ画面におけるクリエイティブを設定するためのボタンである。
【００７３】
動画サイト１２０１は、ポップアップ画面において表示する動画を設定するためのボタンである。動画サイト１２０１には、例えば、動画サイトにおける動画コンテンツを指定する情報を設定する。動画コンテンツを指定する情報とは、例えば、動画コンテンツのリンク情報、動画コンテンツに対するアクセス権限等の情報である。
【００７４】
画像ファイル１２０２は、静止画ファイルまたは動画ファイルへのファイルパスを設定するためのボタンである。テキスト１２０３は、テキストファイルへのファイルパスを設定するためのボタンである。
【００７５】
デザイン１２０４は、表示コンテンツのデザイン（色、形状、大きさ）を設定するためのボタンである。クリック時ＵＲＬ１２０５は、ポップアップ画面に含まれるハイパーリンクをクリックしたときに表示されるＷｅｂページのＵＲＩの設定である。
【００７６】
タイミング１２０６は、ポップアップ画面の表示タイミングを設定するためのボタンである。ポップアップ画面は表示されている表示画面に重畳して表示されるため、顧客に対して強い印象を与えることができる。したがって、例えば、ランディングページの閲覧においてＣＶに繋がる可能性が低い場合にポップアップ画面をタイミング良く表示できればＣＶＲの向上が期待できる。一方、ランディングページにおいて顧客がＣＶに繋がる操作をしているときにその表示画面に重畳してポップアップ画面を表示すると、却ってＣＶＲの低下を招くことになる。したがって、ポップアップ画面の表示タイミングはランディングページの最適化（ＬＰＯ）を図る上で重要な選択事項となる。例えば、Ｗｅｂページが表示されてから所定時間ＣＶに繋がる操作がされない場合、またはＷｅｂページからの離脱操作をした場合等においてポップアップ画面を表示するタイミングを最適化することによりＬＰＯを達成できる可能性が高くなる。タイミング１２０６において、ポップアップ画面の表示タイミングを設定することにより、様々なポップアップ画面の表示態様における広告効果を簡単に計測することが可能となるため、告効果を容易に向上させることが可能となる。
【００７７】
表示位置１２０７は、ポップアップ画面の表示位置を設定するためのボタンである。アニメーション１２０８は、ポップアップ画面のアニメーション（フェードイン、バウンド等）を設定するためのボタンである。また、オプション１２０９は、ポップアップ画面の表示オプション（タイトルテキスト、説明文、ボタンに表示されるテキスト等）を設定するためのボタンである。
【００７８】
再び、図３の説明に戻る。ステップＳ１４の処理を実行した後、情報処理装置１は、表示態様の設定が完了したか否かを判断する（ステップＳ１５）。表示態様の設定が完了していないと判断した場合（ステップＳ１５：ＮＯ）、情報処理装置１は、ステップＳ１５の処理を繰り返し、表示態様の設定が完了するのを待機する。
【００７９】
一方、表示態様の設定が完了したと判断した場合（ステップＳ１５：ＹＥＳ）、情報処理装置１は、設定された表示態様を記憶する（ステップＳ１６）。設定された表示態様の記憶は、例えば記憶部１５において実行することができる。ステップＳ１６の処理を実行した後、情報処理装置１は、フローチャートに示す動作を終了する。
【００８０】
次に、図４を用いて、情報処理装置１におけるＷｅｂページの生成の動作を説明する。図４は、実施形態における情報処理装置１の動作の第２の例を示すフローチャートである。
【００８１】
図４において、情報処理装置１は、図３で説明した動作において設定されたポップアップ画面の表示態様を読み出す（ステップＳ２１）。
【００８２】
ステップＳ２１の処理を実行した後、情報処理装置１は、設定された表示態様において、Ｗｅｂページの動的生成が設定されているか否かを判断する（ステップＳ２２）。Ｗｅｂページの動的生成は、図６で説明した動的生成１００１において設定することができる。動的生成が設定されていると判断した場合（ステップＳ２２：ＹＥＳ）、情報処理装置１は、ランディングページに対してアクセスがあったか否かを判断する（ステップＳ２３）。アクセスがないと判断した場合（ステップＳ２３：ＮＯ）、情報処理装置１は、ステップＳ２３の処理を繰り返し、ランディングページに対するアクセスを待機する。
【００８３】
一方、ランディングページに対するアクセスがあったと判断した場合（ステップＳ２３：ＹＥＳ）、情報処理装置１は、ランディングページに対するアクセスの流入元の情報を取得する（ステップＳ２４）。流入元の情報とは、例えば、流入元のサイト、流入元の地域、またはアクセスした顧客の性別、年齢もしくは興味等の情報であり、ランディングページにアクセスしたＷｅｂブラウザ等から取得することができる。
【００８４】
ステップＳ２４の処理を実行した後、情報処理装置１は、ステップＳ２４の処理において取得された流入元の情報に基づき、Ｗｅｂページを動的に生成する（ステップＳ２５）。例えば、図６において説明したサイト１１０１において、流入元のサイトが登録されて表示態様が設定されている場合、情報処理装置１は、取得された流入元の情報に基づき流入元のサイトがサイト１１０１において登録されているサイトと一致するか否かを判断し、一致すると判断した場合、対応して設定されている表示対応に応じてポップアップ画面を表示するＷｅｂページを生成する。
【００８５】
一方、ステップＳ２２の処理において、動的生成が設定されていないと判断した場合（ステップＳ２２：ＮＯ）、情報処理装置１は、予め設定されている条件に基づきＷｅｂページを生成する（ステップＳ２６）。
【００８６】
ステップＳ２５の処理を実行した後、またはステップＳ２６の処理を実行した後、情報処理装置１は、生成したＷｅｂページを記憶する（ステップＳ２７）。ステップＳ２７の処理を実行した後、情報処理装置１は、広告の効果を解析する（ステップＳ２８）。広告の効果の解析は、例えば、生成したＷｅｂページにおけるＰＶ数、ＣＶ数またはＣＶＲ等を測定し、基準Ｗｅｂページとの比較においてランディングページにおいて広告の効果を最大とするクリエイティブ（またはクリエイティブの組合せ）を解析する。なお、解析結果の提供は図示するフローチャートによる動作と非同期で行うことができる。例えば、Ｗｅｂブラウザ２１からのリクエストに応じて結果提供部１７が解析結果を提供するようにしてもよい。
【００８７】
ステップＳ２８の処理を実行した後、情報処理装置１は、Ｗｅｂページの作成を終了するか否かを判断する（ステップＳ２９）。なお、Ｗｅｂページの作成の開始または終了は、例えばＷｅｂブラウザ２１から情報処理装置１に対して開始または終了の指示をすることによって実行することができる。Ｗｅｂページの作成を終了しないと判断した場合（ステップＳ２９：ＮＯ）、情報処理装置１は、ステップＳ２２の処理を実行する。一方、Ｗｅｂページの作成を終了すると判断した場合（ステップＳ２９：ＹＥＳ）、情報処理装置１は、フローチャートに示す動作を終了する。
【００８８】
次に、図５を用いて、情報処理装置１におけるＷｅｂページの切り替えの動作を説明する。図５は、実施形態における情報処理装置１の動作の第３の例を示すフローチャートである。
【００８９】
図５において、情報処理装置１は、図３で説明した動作において設定されたポップアップ画面の表示態様を読み出す（ステップＳ３１）。
【００９０】
ステップＳ３１の処理を実行した後、情報処理装置１は、設定された表示態様において、Ｗｅｂページの動的切り替えが設定されているか否かを判断する（ステップＳ３２）。Ｗｅｂページの動的生成は、図６で説明した動的生成１００１において設定することができる。動的切り替えが設定されていると判断した場合（ステップＳ３２：ＹＥＳ）、情報処理装置１は、ランディングページに対してアクセスがあったか否かを判断する（ステップＳ３３）。アクセスがないと判断した場合（ステップＳ３３：ＮＯ）、情報処理装置１は、ステップＳ３３の処理を繰り返し、ランディングページに対するアクセスを待機する。
【００９１】
一方、ランディングページに対するアクセスがあったと判断した場合（ステップＳ３３：ＹＥＳ）、情報処理装置１は、ランディングページに対するアクセスの流入元の情報を取得する（ステップＳ３４）。
【００９２】
ステップＳ３４の処理を実行した後、情報処理装置１は、ステップＳ３４の処理において取得された流入元の情報に基づき、Ｗｅｂページを動的に切り替える（ステップＳ３５）。例えば、図６において説明したサイト１１０１において、流入元のサイトが登録されて表示態様が設定されている場合、情報処理装置１は、取得された流入元の情報に基づき流入元のサイトがサイト１１０１において登録されているサイトと一致するか否かを判断し、一致すると判断した場合、対応して設定されている表示対応に応じてポップアップ画面を表示するＷｅｂページを切り替える。
【００９３】
一方、ステップＳ３２の処理において、動的切り替えが設定されていないと判断した場合（ステップＳ３２：ＮＯ）、情報処理装置１は、予め設定されている条件に基づきＷｅｂページを切り替える（ステップＳ３６）。
【００９４】
ステップＳ３５の処理を実行した後、またはステップＳ３６の処理を実行した後、情報処理装置１は、切り替えたＷｅｂページを記憶する（ステップＳ３７）。ステップＳ３７の処理を実行した後、情報処理装置１は、広告の効果を解析する（ステップＳ３８）。広告の効果の解析は、例えば、切り替えたＷｅｂページにおけるＰＶ数、ＣＶ数またはＣＶＲ等を測定し、基準Ｗｅｂページとの比較においてランディングページにおいて広告の効果を最大とするクリエイティブ（またはクリエイティブの組合せ）を解析する。なお、解析結果の提供は図示するフローチャートによる動作と非同期で行うことができる。例えば、Ｗｅｂブラウザ２１からのリクエストに応じて結果提供部１７が解析結果を提供するようにしてもよい。
【００９５】
ステップＳ３８の処理を実行した後、情報処理装置１は、Ｗｅｂページの切り替えを終了するか否かを判断する（ステップＳ３９）。なお、Ｗｅｂページの切り替えの開始または終了は、例えばＷｅｂブラウザ２１から情報処理装置１に対して開始または終了の指示をすることによって実行することができる。Ｗｅｂページの切り替えを終了しないと判断した場合（ステップＳ３９：ＮＯ）、情報処理装置１は、ステップＳ３２の処理を実行する。一方、Ｗｅｂページの切り替えを終了すると判断した場合（ステップＳ３９：ＹＥＳ）、情報処理装置１は、フローチャートに示す動作を終了する。
【００９６】
なお、図示したフローチャートは、情報処理装置１の動作の一例を示したものであり、情報処理装置１における動作を限定するものではない。
【００９７】
なお、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組合せで実現するもの、いわゆる差分ファイル（差分プログラム）であっても良い。
【００９９】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１００】
１        情報処理装置
１１      通信制御部
１２      ＵＩ提供部
１３      ページ生成部
１４      ページ切替部
１５      記憶部
１６      解析部
１７      結果提供部
２        利用者端末
２１      Ｗｅｂブラウザ
３        顧客端末
３１      Ｗｅｂブラウザ
９        ネットワーク
１０１    ＣＰＵ
１０２    ＲＡＭ
１０３    ＲＯＭ
１０４    Ｉ／Ｏ機器
１０５    通信Ｉ／Ｆ
１０００  設定画面
１００１  動的生成
１００２  動的切替
１００３  比較数
１１００  流入元
１１０１  サイト
１１０２  地域
１１０３  性別
１１０４  年齢
１１０５  興味
１２００  ポップアップ設定
１２０１  動画サイト
１２０２  画像ファイル
１２０３  テキスト
１２０４  デザイン
１２０５  クリック時ＵＲＬ
１２０６  タイミング
１２０７  表示位置
１２０８  アニメーション
１２０９  オプション
【図１】
2020113140.tif 000003
【図２】
2020113140.tif 000004
【図３】
2020113140.tif 000005
【図４】
2020113140.tif 000006
【図５】
2020113140.tif 000007
【図６】
2020113140.tif 000008
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
インターネット上の予め定められたユニフォームリソース識別子（ＵＲＩ）にアクセスしたときにＷｅｂブラウザに表示される広告の表示画面において第１の表示態様で表示される画面を表示する基準Ｗｅｂページと、前記ユニフォームリソース識別子にアクセスしたときに前記表示画面において前記第１の表示態様を変更した他の表示態様で表示される画面を表示する比較Ｗｅｂページとを生成するページ生成部と、
前記他の表示態様と前記ユニフォームリソース識別子とを、インターネットを介して接続された端末から設定可能にするためのユーザインタフェースを提供するＵＩ提供部と、
前記ページ生成部において生成された前記基準Ｗｅｂページおよび比較Ｗｅｂページ、前記ＵＩ提供部において設定された前記ユニフォームリソース識別子、ならびに前記ユニフォームリソース識別子にアクセスしたときにＷｅｂブラウザに提供される前記基準Ｗｅｂページと前記比較Ｗｅｂページとを切り替えるための条件、を記憶する記憶部と、
前記記憶部に記憶された前記条件に基づき、前記基準Ｗｅｂページもしくは比較Ｗｅｂページに対するアクセス数、または前記基準Ｗｅｂページもしくは比較Ｗｅｂページにおけるコンバージョン数が所定の数に達したときに前記ユニフォームリソース識別子にアクセスしたときにＷｅｂブラウザに提供されるＷｅｂページを、前記記憶部に記憶された前記基準Ｗｅｂページと前記比較Ｗｅｂページとで切り替えるページ切替部と、
を備える、情報処理装置。
【請求項２】
前記基準Ｗｅｂページに対するアクセスに基づく広告の効果と、前記ページ切替部において切り替えられた前記比較Ｗｅｂページに対するアクセスに基づく広告の効果とを解析する解析部と、
前記解析部において解析された解析結果を提供する結果提供部と
をさらに備える、請求項１に記載の情報処理装置。
【請求項３】
前記ＵＩ提供部は、前記他の表示態様における画面において表示させるコンテンツの表示態様を設定するためのユーザインタフェースを提供する、請求項１または２に記載の情報処理装置。
【請求項４】
前記ＵＩ提供部は、前記他の表示態様における画面において表示させる動画コンテンツを動画公開サイトから取得するためのユーザインタフェースを提供する、請求項１から３のいずれか一項に記載の情報処理装置。
【請求項５】
前記ＵＩ提供部は、前記他の表示態様における画面の表示条件を設定するためのユーザインタフェースを提供する、請求項１から４のいずれか一項に記載の情報処
理装置。
【請求項６】
前記ページ生成部は、予め設定された条件に基づき前記比較Ｗｅｂページを生成する、請求項１から５のいずれか一項に記載の情報処理装置。
【請求項７】
前記ページ生成部は、前記ユニフォームリソース識別子に対する流入元の情報に基づき前記比較Ｗｅｂページを生成する、請求項１から６のいずれか一項に記載の情報処理装置。
【請求項８】
前記ページ切替部は、予め設定された条件に基づき前記ユニフォームリソース識別子において表示されるＷｅｂページを切り替える、請求項１から７のいずれか一項に記載の情報処理装置。
【請求項９】
前記ページ切替部は、前記ユニフォームリソース識別子に対する流入元の情報に基づき前記ユニフォームリソース識別子において表示されるＷｅｂページを切り替える、請求項１から８のいずれか一項に記載の情報処理装置。
【請求項１０】
情報処理装置において実行される情報処理方法であって、
インターネット上の予め定められたユニフォームリソース識別子（ＵＲＩ）にアクセスしたときにＷｅｂブラウザに表示される広告の表示画面において第１の表示態様で表示される画面を表示する基準Ｗｅｂページと、前記ユニフォームリソース識別子にアクセスしたときに前記表示画面において前記第１の表示態様を変更した他の表示態様で表示される画面を表示する比較Ｗｅｂページとを生成するページ生成ステップと、
前記他の表示態様と前記ユニフォームリソース識別子とを、インターネットを介して接続された端末から設定可能にするためのユーザインタフェースを提供するＵＩ提供ステップと、
前記ページ生成ステップにおいて生成された前記基準Ｗｅｂページおよび比較Ｗｅｂページ、前記ＵＩ提供ステップにおいて設定された前記ユニフォームリソース識別子、ならびに前記ユニフォームリソース識別子にアクセスしたときにＷｅｂブラウザに提供される前記基準Ｗｅｂページと前記比較Ｗｅｂページとを切り替えるための条件、を記憶する記憶ステップと、
前記記憶ステップにおいて記憶された前記条件に基づき、前記基準Ｗｅｂページもしくは比較Ｗｅｂページに対するアクセス数、または前記基準Ｗｅｂページもしくは比較Ｗｅｂページにおけるコンバージョン数が所定の数に達したときに前記ユニフォームリソース識別子にアクセスしたときにＷｅｂブラウザに提供されるＷｅｂページを、前記記憶ステップにおいて記憶された前記基準Ｗｅｂページと前記比較Ｗｅｂページとで切り替えるページ切替ステップと、
を含む、情報処理方法。
【請求項１１】
コンピュータに、
インターネット上の予め定められたユニフォームリソース識別子（ＵＲＩ）にアクセスしたときにＷｅｂブラウザに表示される広告の表示画面において第１の表示態様で表示される画面を表示する基準Ｗｅｂページと、前記ユニフォームリソース識別子にアクセスしたときに前記表示画面において前記第１の表示態様を変更した他の表示態様で表示される画面を表示する比較Ｗｅｂページとを生成するページ生成機能と、
前記他の表示態様と前記ユニフォームリソース識別子とを、インターネットを介して接続された端末から設定可能にするためのユーザインタフェースを提供するＵＩ提供機能と、
前記ページ生成機能において生成された前記基準Ｗｅｂページおよび比較Ｗｅｂページ、前記ＵＩ提供機能において設定された前記ユニフォームリソース識別子、ならびに前記ユニフォームリソース識別子にアクセスしたときにＷｅｂブラウザに提供される前記基準Ｗｅｂページと前記比較Ｗｅｂページとを切り替えるための条件、を記憶する記憶機能と、
前記記憶機能において記憶された前記条件に基づき、前記基準Ｗｅｂページもしくは比較Ｗｅｂページに対するアクセス数、または前記基準Ｗｅｂページもしくは比較Ｗｅｂページにおけるコンバージョン数が所定の数に達したときに前記ユニフォームリソース識別子にアクセスしたときにＷｅｂブラウザに提供されるＷｅｂページを、前記記憶機能において記憶された前記基準Ｗｅｂページと前記比較Ｗｅｂページとで切り替えるページ切替機能と、
を実現させるための、情報処理プログラム。